(57)【要約】【課題】物体の間隙が公差内かどうかを作業者が簡単にかつ即座に判断できるようにする。【解決手段】外径が鋼矢板の継ぎ手開度の公差上限値の外径を有する第１の円筒状のロール４と、外径が鋼矢板の継ぎ手開度の公差下限値の外径を有する第２の円筒状のロール５を、その端面が平行となるように直線的に配置した本発明の検査治具１を使用する。第１のロール４と、第２のロール５を、第１，第２のロール４，５の軸方向が、鋼矢板の継ぎ手Ａの開口ａのスリット方向と平行になるようにして、前記開口ａに対して直交する方向から挿入または接触させることにより、前記開口ａが所定の公差内にあるかどうかを検査する。【効果】物体の間隙が所定の公差を満足するかどうかを、作業者が簡単にかつ即座に判断可能となり、検査作業の効率アップが図れる。また、抜取り検査の場合、所定時間内に多数の箇所が検査可能となって、品質管理上も有用である。【選択図】図２
2010185775.tif 000002
【特許請求の範囲】
【請求項１】
スリット状の間隙が所定の公差内にあるかどうかを検査する方法であって、
前記スリット状の間隙の公差の上限値を最大断面長さとする第１の部品と、前記スリット状の間隙の公差の下限値を最大断面長さとする第２の部品を、当該各最大断面の方向が互いに平行で、かつ当該各最大断面と直交する方向に直線的に配置し、前記各最大断面の方向が前記スリット状の間隙方向に平行となる方向に位置させた状態で、前記スリット状間隙に挿入または接触させることにより前記検査を行うことを特徴とする検査方法。
【請求項２】
前記２個の部品のうち、前記公差下限値の長さの最大断面長さを有する部品が前記スリット状の間隙に挿入可能で、かつ前記公差上限値の長さの最大断面長さを有する部品が前記スリット状の間隙に挿入不可能な状態のとき、前記スリット状の間隙が公差内にあると判断することを特徴とする請求項１に記載の検査方法。
【請求項３】
前記２個の部品のうち、前記公差上限値の長さの最大断面長さを有する部品が前記スリット状の間隙に挿入可能、または前記公差下限値の長さの最大断面長さを有する部品が前記スリット状の間隙に挿入不可能な状態のとき、前記スリット状の間隙が公差外にあると判断することを特徴とする請求項１に記載の検査方法。
【請求項４】
スリット状の間隙が所定の公差内にあるかどうかを検査する治具であって、
前記スリット状の間隙の公差の上限値を最大断面長さとする第１の部品と、前記スリット状の間隙の公差の下限値を最大断面長さとする第２の部品を、当該各最大断面の方向が互いに平行で、かつ当該各最大断面と直交する方向に直線的に配置したことを特徴とする検査治具。
【請求項５】
少なくとも前記第１の部品が、前記スリット状の間隙への挿入方向に移動自在に設けられ、かつ一方の移動限位置では前記第２の部品よりも、前記スリット状の間隙への挿入または接触方向の下流側に位置することを特徴とする請求項４に記載の検査治具。
【請求項６】
少なくとも前記第１の部品が、前記スリット状の間隙への挿入または接触方向の上流側に位置するように、ばねにより付勢されていることを特徴とする請求項５に記載の検査治具。
【請求項７】
スリット状の間隙が所定の公差内にあるかどうかを検査する治具であって、
前記スリット状の間隙の公差の上限値を最大断面長さとする第１の部品と、前記スリット状の間隙の公差の下限値を最大断面長さとする第２の部品を、当該各最大断面の方向が互いに平行で、かつ当該各最大断面と直交する方向に間隔を存して配置したことを特徴とする検査治具。
【請求項８】
前記第１の部品が、前記第２の部品よりも、前記スリット状の間隙への挿入または接触方向の下流側に位置することを特徴とする請求項７に記載の検査治具。
【請求項９】
前記第１および第２の部品は、取り替えが自在なように構成されていることを特徴とする請求項４〜８の何れかに記載の検査治具。
【請求項１０】
前記第１の部品および第２の部品は、前記スリット状の間隙の公差の上限値または下限値の長さを有する最大断面がそれぞれの外径である円筒状のロールであることを特徴とする請求項４〜９の何れかに記載の検査治具。
【発明の詳細な説明】
【技術分野】
【０００１】
本発明は、物体の間隙（隙間）が所定の公差を満足しているかどうかを検査する方法、およびそのために用いる検査治具に関するものである。とりわけ矢板（鋼矢板等）の製造ラインにおいて、その爪（継ぎ手）の開度が公差内か否かを検査する方法、および検査に用いる治具に関するものである。
【背景技術】
【０００２】
一般に、物体の間隙を測定する手段として、ノギスや隙間ゲージが使用されている。これらの測定器具を使用すれば、正確に間隙を測定することが可能である。この間隙に関しては公差（管理範囲）が決められていて、その公差を満足するか否かを検査するためには、測定値に基づいて作業者あるいはコンピュータが公差の上下限値内にあるかどうかを判断する工程が必要である。
【０００３】
例えば熱間圧延鋼矢板は、化学成分及び機械的性質の他、形状・寸法及びその許容差等もJIS A 5528で規定されている。特に、その継ぎ手は、打ち込みの際に十分にかみ合い、引き抜く際には容易に離脱できる形状とし、なるべく水密性が得られる構造でなければならない。従って、継ぎ手の爪の開口等の寸法は、製造メーカ等で正確に規定されている。
【０００４】
従来は、前記爪の開口寸法を測定するに際し、作業者が検査場においてノギスを用いて測定しているのが一般的であったが、最近では、当該爪の開口寸法をレーザ距離計等の非接触型の計測器を用いてオンラインで測定する技術が提案されている（特許文献１）。
【０００５】
特許文献１の装置は、停止中の形鋼を挟む上下に配置した、水平及び垂直方向に移動する２軸ステージ機構の先端に、少なくとも１８０度水平方向に旋回し前記形鋼の断面を水平、垂直及び斜め方向にそれぞれ検出可能なレーザ変位計を内蔵した検出ヘッドをそれぞれ取り付けたものである。
【０００６】
そして、前記レーザ変位計の測定値、前記２軸ステージ機構の位置、及び前記検出ヘッドの方向から前記形鋼の各寸法値と部分的なプロフィールを演算・表示するものである。
【０００７】
一方、接触式の測定装置であるが、作業者による測定値のバラツキがなく、しかも高精度に鋼矢板の爪開度を測定する装置が特許文献２に開示されている。
【０００８】
この特許文献２の装置は、測定ヘッドを、鋼矢板の側面に３点接触する回転自在なローラ群に、ローラ群との相対間隔を調整可能なように互いに接離移動が可能に取り付けられた爪部材と、該爪部材の移動量を測定するマグネスケールを近接配置している。
【０００９】
そして、測定ヘッドを、スプリングで常時は水平状態と成し、測定時は、側面に沿って揺動・旋回が自在な如く取り付け、測定ヘッドを側面に対して接離移動可能に、かつ昇降動可能に構成した構成である。
【００１０】
また、作業者による鋼矢板の継ぎ手寸法測定の効率化を図るためのノギスが特許文献３に開示されている。
【００１１】
このノギスは、鋼矢板の継ぎ手部のような凹部の間隔と凹部の壁厚みを同時に測定するもので、本尺と、この本尺の長手方向へ摺動自在に設けられる第１のスライダと、この第１のスライダの長手方向へ摺動自在に設けられる第２のスライダを有している。
【００１２】
そして、前記本尺は凹部の一方の内壁に当接する測定ジョーを有し、前記第１のスライダは凹部を挟んで、他方の内壁に当接する測定ジョーを有し、前記第２のスライダは、前記凹部の壁の外側に当接するジョーを有している。
【００１３】
さらに、前記本尺には本尺目盛が、前記第１のスライダには前記本尺目盛に対して補助目盛となるバーニア目盛と、前記第２のスライダに対する本尺目盛が、前記第２のスライダには前記本尺目盛に対して補助目盛となるバーニア目盛が設けられている。
【００１４】
また、特許文献４には、所定内径の太径部と、該太径部より所要量小さい内径の細径部を有する制御棒案内管の検査ゲージが開示されている。この検査ゲージは、前記太径部の内径の保証必要寸法に合わせた太径用通しゲージと、前記細径部内径の保証必要寸法に合わせた細径用通しゲージを、同軸かつ制御棒案内管の太径部と細径部の配置に対応させて一体に形成したものである。
【００１５】
しかしながら、特許文献１や特許文献２の装置は、大掛かりな設備投資が必要である。また、設備を導入しても設備故障による誤測定を防止するために、設備の継続的な維持管理も必要になる。
【００１６】
特許文献３のノギスは、作業者が継ぎ手の開度と継ぎ手の厚みを同時に測定できる利便性がある。しかしながら、継ぎ手の開度を測定した後に、当該測定値を記録するための時間や、当該測定値が所定の公差を満足しているかどうかを判断する時間が必要となり、検査の作業能率の面で問題がある。
【００１７】
すなわち、生産性を上げるために鋼矢板の圧延能率を上げたとしても、検査工程において鋼矢板の継ぎ手開度の合否判定をするのに時間がかかるため、作業者一人が一定時間内に可能な検査回数（継ぎ手の測定個所数）は自ずと限界がある。つまり、圧延能率に見合った検査能率とするには作業者の数を増やすことで対応せざるを得ない。逆に作業者の数が限られている場合には、検査能率がネックとなって全体の生産効率が低下する事態を招く。
【００１８】
また、特許文献４の検査ゲージは、管や孔の内径の寸法検査には使用できるが、鋼矢板の継ぎ手のような対峙する略平面からなる物体の間隙の寸法検査には適していない。同検査ゲージは、それを構成する円筒部が鋼矢板の継ぎ手のような間隙に挿入するのに適した構造になっていないからである。
【先行技術文献】
【特許文献】
【００１９】
【特許文献１】特開平７−１２０２２５号公報
【特許文献２】実開平５−２７６０８号公報
【特許文献３】特開２００６−２５８５９７号公報
【特許文献４】特開平５−２７３３８１号公報
【発明の概要】
【発明が解決しようとする課題】
【００２０】
本発明が解決しようとする問題点は、従来の検査装置の場合、物体の間隙（隙間）が所定の公差（管理範囲）を満足するかどうかを作業者が簡単にかつ即座に判断することができないという点である。
【課題を解決するための手段】
【００２１】
本発明の間隙の検査方法は、
物体の間隙が所定の公差を満足するかどうかを作業者が簡単にかつ即座に判断できるようにするために、
スリット状の間隙の公差の上限値を最大断面長さとする第１の部品と、前記スリット状の間隙の公差の下限値を最大断面長さとする第２の部品を、当該各最大断面の方向が互いに平行で、かつ当該各最大断面と直交する方向に直線的に配置した本発明の検査治具を使用し、
前記第１の部品と、前記第２の部品を前記各最大断面の方向が前記スリット状の間隙方向に平行となる方向に位置させた状態で、前記スリット状間隙に挿入または接触させることにより前記検査を行うことを最も主要な特徴としている。
【００２２】
本発明において、第１の部品と第２の部品のスリット状の間隙の公差の上限値と下限値の長さを有する各最大断面の方向が互いに平行で、かつ当該各最大断面と直交する方向に直線的に配置するのは、対象とする鋼矢板の爪の深さが深くないので、直列に配置した場合は検査できないからである。
【００２３】
本発明において、最大断面長さとは、検査治具の第１の部品、第２の部品をスリット状の間隙へ挿入または接触する時に、スリット状間隙の方向の最大長さを意図している。
【発明の効果】
【００２４】
本発明では、物体の間隙が所定の公差を満足するかどうかを、作業者が簡単にかつ即座に判断可能となるので、検査作業の効率アップが図れる。また、抜取り検査の場合は、所定時間内に従来の方法に比べて多数の箇所が検査可能となって、品質管理上も有用である。
【図面の簡単な説明】
【００２５】
【図１】本発明の検査治具の一例を示した図である。
【図２】鋼矢板の継ぎ手の開度が寸法公差内に入っている場合の本発明の検査治具を用いた検査方法の説明図で、（ａ）は第１，第２のロールが継ぎ手の開口に接触する前の図、（ｂ）は第１のロールが継ぎ手の開口に接触した状態を示した図、（ｃ）は第２のロールが継ぎ手の開口から進入を開始した状態を示した図、（ｄ）は第２のロールが継ぎ手内への進入を完了した状態を示した図である。
【図３】本発明の検査治具を用いた検査方法の他の例の説明図で、（ａ）は継ぎ手の開度が寸法公差の上限よりも大きい場合、（ｂ）は継ぎ手の開度が寸法公差の下限よりも小さい場合の図である。
【図４】本発明の検査治具の他の例を示した図である。
【図５】（ａ）〜（ｉ）は、第１，２の部品として使用可能な他の形状の例を説明する図で、それぞれ紙面右側は正面から見た図、紙面左側は側面から見た図である。
【発明を実施するための最良の形態】
【００２６】
本発明では、物体の間隙が公差内かどうかを作業者が簡単にかつ即座に判断できるようにするという目的を、スリット状の間隙の公差の上限値を最大断面長さとする第１の部品と、前記公差の下限値を最大断面長さとする第２の部品を、当該各最大断面の方向が互いに平行で、かつ当該各最大断面と直交する方向に直線的に配置することで実現した。
【実施例】
【００２７】
以下、本発明の新しい着想とともに、本発明を実施するための最良の形態について、添付図面を用いて説明する。
【００２８】
発明者らは、所定長さの各最大断面が、当該各最大断面の方向が互いに平行で、かつ当該各最大断面と直交する方向に直線的に配置された２つの部品を、前記最大断面の方向と直交する方向に移動させることで、物体の間隙が公差内かどうかの判定が可能であることを見出し、本発明を完成させた。
【００２９】
以下、所定長さの最大断面が当該断面と直交する方向に直線的に配置される部品として、所定の外径を有する円筒状のロールを使用した本発明の最良の形態について、図１を用いて説明する。
【００３０】
１は、スリット状の間隙、例えば鋼矢板の継ぎ手の開口の寸法が公差内に収まっているかどうかを検査する、本発明の検査治具であり、例えばそれぞれ芯棒２，３の先端に、円筒状のロール４，５を回転が自在なように取り付けている。この芯棒２，３へのロール４，５の取り付けは、他の外径を有するロール４，５への取り換えができるように構成しておくことが望ましい。
【００３１】
このうち、第１のロール４は、その外径が、前記継ぎ手開度の公差上限値となるように形成されている。また、第２のロール５は、その外径が、前記継ぎ手開度の公差下限値となるように形成されている。
【００３２】
そして、これら第１のロール４と第２のロール５は、その端面が互いに平行で、例えば第１のロール４と第２のロール５の軸が一直線上に位置するように、ケース６に取り付けられている。
【００３３】
図１に示した例では、第１および第２のロール４，５ともに、ケース６に対してロール４，５の軸と直交する方向に所定量だけ移動が自在なように取り付けられ、かつばね７，８によってケース６に対して最も突出した状態に付勢されている。
【００３４】
従って、検査時にロール４，５が移動しても、検査終了後に前記継ぎ手の開口部から取り出した後は、ばね７，８の復元力によって元の位置にまで復帰することになる。
【００３５】
本発明の検査治具１は、上記のような構成であり、この検査治具１を用いて、例えば鋼矢板の継ぎ手の開度を検査する方法を、図２を用いて説明する。
【００３６】
本発明の検査治具１を、第１，第２のロール４，５の軸方向が、鋼矢板の継ぎ手Ａの開口ａのスリット方向と平行になるようにして、第１，第２のロール４，５の軸と直交する方向に移動させ、第１，第２のロール４，５を鋼矢板の継ぎ手Ａの開口ａに近づける（図２（ａ））。
【００３７】
本発明の検査治具１を前記方向にさらに移動させると、第１のロール４が継ぎ手Ａの開口ａに接触する（図２（ｂ））。この状態から本発明の検査治具１を前記方向に移動させると、第１のロール４は継ぎ手Ａの開口ａに接触して停止した状態のまま、第２のロール５のみが継ぎ手Ａの開口ａへの進入を開始する（図２（ｃ））。
【００３８】
本発明の検査治具１を前記方向にさらに移動させると、第２のロール５は継ぎ手Ａ内への進入が完了する（図２（ｄ））。
【００３９】
この検査の結果、外径が継ぎ手開度の公差上限値となるよう形成された第１のロール４は、継ぎ手Ａの開口ａに接触して停止した。一方、外径が継ぎ手開度の公差下限値となるよう形成された第２のロール５は、継ぎ手Ａの開口ａへの進入が完了した。従って、この継ぎ手開度は公差内にあると判断する。
【００４０】
これに対して、外径が継ぎ手開度の公差上限値となるように形成された第１のロール４が継ぎ手Ａの開口ａに挿入可能な場合（図３（ａ））は、この継ぎ手開度は公差の上限より大きく、公差外にあると判断する。また、外径が継ぎ手開度の公差下限値となるよう形成された第２のロール５が継ぎ手Ａの開口ａに挿入不可能な場合（図３（ｂ））も、この継ぎ手開度は公差の下限より小さく、公差外にあると判断する。
【００４１】
本発明は上記の例に限らず、各請求項に記載された技術的思想の範疇であれば、適宜実施の形態を変更しても良いことは言うまでもない。
【００４２】
例えば図１の例では、第１のロール４、第２のロール５ともにばね７，８によってロール４，５の軸と直交する方向に付勢されているが、例えば図４のようにどちらか一方のロール４または５のみにばねを設けても良い。また、第１のロール４、第２のロール５ともばねを設けなくてもよい。
【００４３】
但し、第２のロール５のみにばねを設ける場合や、両ロール４，５ともばねを設けない場合には、必ず第２のロール５の方が、第１のロール４よりも継ぎ手の開口部への挿入方向の上流側（図１の紙面下側）に位置するように配置することが必要である。
【００４４】
また、第１のロール４、第２のロール５の軸方向の長さは、被検査対象である継ぎ手の開口部の平行部（スリット）長さに応じて、適切な長さとすればよい。前記平行部長さが短い場合には、外観がリング状の円筒体となることもあり得る。円筒体の長さを必要以上に長くすると、検査治具の重量が重たくなり、人手による検査作業の場合には作業性が悪くなるほか、検査治具の製作コストも高くつくので避けたほうがよい。
【００４５】
また、添付図面に示した発明例では、第１，２の部品として円筒状のロール４，５を使用しているが、円筒状のロールに換えて、例えば図５に示すような他の形状の部品を採用しても良い。
【００４６】
図５（ａ）は球体、（ｂ）（ｃ）は楕円体、（ｄ）はそろばんの珠状、（ｅ）は円錐、（ｆ）は円錐の先端部を切断した形状である。また、図５（ｇ）に示すような楕円柱、（ｈ）に示すような楕円錐の先端部を切断した形状、（ｉ）に示すような対向配置した同じ半径の半円を直線でつないだ横断面形状の柱状体でも良い。
【００４７】
図５（ａ）〜（ｇ）のような形状の場合、スリットとは線接触するので、摩耗が激しい製品や使用環境の場合、最大断面長さが小さくなり、検査治具の部品の交換が必要になる。しかしながら、図５（ｉ）のように最大断面長さの平行部を持つ形状の場合、摩耗による最大断面長さの変化は、平行部全てが摩耗するまで変化しないため、長期間安定して使用でき、好ましい。
【００４８】
なお、円筒状のロールに換えて、図示省略したが、四角錐等の多角錐形状や多角錐形状の先端部を切断した形状であってもよい。
【産業上の利用可能性】
【００４９】
以上の本発明は、鋼矢板の継ぎ手部の開度を検査するものに限らず、どのような物体の間隙（隙間） の検査を行う場合にも適用できる。
【符号の説明】
【００５０】
１    検査治具
４    第１のロール
５    第２のロール
７    ばね
８    ばね
【図１】
2010185775.tif 000003
【図２】
2010185775.tif 000004
【図３】
2010185775.tif 000005
【図４】
2010185775.tif 000006
【図５】
2010185775.tif 000007
【手続補正書】
【提出日】平成21年6月11日(2009.6.11)
【手続補正１】
【補正対象書類名】明細書
【補正対象項目名】００２１
【補正方法】変更
【補正の内容】
【００２１】
本発明の間隙の検査方法は、
物体の間隙が所定の公差を満足するかどうかを作業者が簡単にかつ即座に判断できるようにするために、
スリット状の間隙の公差の上限値を最大断面長さとする第１の部品と、前記スリット状の間隙の公差の下限値を最大断面長さとする第２の部品を、当該各最大断面の方向が互いに平行で、かつ当該各最大断面と直交する方向に直線的に配置した本発明の検査治具を使用し、
前記第１の部品と前記第２の部品を、前記各最大断面の方向が前記スリット状の間隙方向に平行となる方向に位置させた状態で、前記スリット状の間隙方向に対して直交する方向から挿入または接触させることにより前記検査を行うことを最も主要な特徴としている。
【手続補正２】
【補正対象書類名】特許請求の範囲
【補正対象項目名】全文
【補正方法】変更
【補正の内容】
【特許請求の範囲】
【請求項１】
スリット状の間隙が所定の公差内にあるかどうかを検査する方法であって、
前記スリット状の間隙の公差の上限値を最大断面長さとする第１の部品と、前記スリット状の間隙の公差の下限値を最大断面長さとする第２の部品を、当該各最大断面の方向が互いに平行で、かつ当該各最大断面と直交する方向に直線的に配置し、前記各最大断面の方向が前記スリット状の間隙方向に平行となる方向に位置させた状態で、前記スリット状の間隙方向に対して直交する方向から挿入または接触させることにより前記検査を行うことを特徴とする検査方法。
【請求項２】
前記２個の部品のうち、前記公差下限値の長さの最大断面長さを有する部品が前記スリット状の間隙に挿入可能で、かつ前記公差上限値の長さの最大断面長さを有する部品が前記スリット状の間隙に挿入不可能な状態のとき、前記スリット状の間隙が公差内にあると判断することを特徴とする請求項１に記載の検査方法。
【請求項３】
前記２個の部品のうち、前記公差上限値の長さの最大断面長さを有する部品が前記スリット状の間隙に挿入可能、または前記公差下限値の長さの最大断面長さを有する部品が前記スリット状の間隙に挿入不可能な状態のとき、前記スリット状の間隙が公差外にあると判断することを特徴とする請求項１に記載の検査方法。
【請求項４】
スリット状の間隙が所定の公差内にあるかどうかを検査する治具であって、
前記スリット状の間隙の公差の上限値を最大断面長さとする第１の部品と、前記スリット状の間隙の公差の下限値を最大断面長さとする第２の部品を、当該各最大断面の方向が互いに平行で、かつ当該各最大断面と直交する方向に直線的に配置し、前記スリット状の間隙方向に対して直交する方向から挿入または接触させて使用することを特徴とする検査治具。
【請求項５】
少なくとも前記第１の部品が、前記スリット状の間隙への挿入方向に移動自在に設けられ、かつ一方の移動限位置では前記第２の部品よりも、前記スリット状の間隙への挿入または接触方向の下流側に位置することを特徴とする請求項４に記載の検査治具。
【請求項６】
少なくとも前記第１の部品が、前記スリット状の間隙への挿入または接触方向の上流側に位置するように、ばねにより付勢されていることを特徴とする請求項５に記載の検査治具。
【請求項７】
前記第１および第２の部品は、取り替えが自在なように構成されていることを特徴とする請求項４〜６の何れかに記載の検査治具。
【請求項８】
前記第１の部品および第２の部品は、前記スリット状の間隙の公差の上限値または下限値の長さを有する最大断面がそれぞれの外径である円筒状のロールであることを特徴とする請求項４〜７の何れかに記載の検査治具。
【手続補正書】
【提出日】平成22年1月19日(2010.1.19)
【手続補正１】
【補正対象書類名】明細書
【補正対象項目名】００２１
【補正方法】変更
【補正の内容】
【００２１】
本発明の間隙の検査方法は、
物体の間隙が所定の公差を満足するかどうかを作業者が簡単にかつ即座に判断できるようにするために、
楕円体、そろばんの珠状、円筒状、円錐形状、円錐の先端を切断した形状、多角錐形状、多角錐の先端を切断した形状、楕円柱状、楕円錐の先端を切断した形状、対向配置した同じ半径の半円を直線でつないだ横断面形状の柱状体の、スリット状の間隙の公差の上限値を最大断面長さとする第１の部品と、楕円体、そろばんの珠状、円筒状、円錐形状、円錐の先端を切断した形状、多角錐形状、多角錐の先端を切断した形状、楕円柱状、楕円錐の先端を切断した形状、対向配置した同じ半径の半円を直線でつないだ横断面形状の柱状体の、前記スリット状の間隙の公差の下限値を最大断面長さとする第２の部品を、当該各最大断面の方向が互いに平行で、かつ当該各最大断面と直交する方向に直線的に配置した本発明の検査治具を使用し、
前記第１の部品と前記第２の部品を、前記各最大断面の方向が前記スリット状の間隙方向に平行となる方向に位置させた状態で、前記スリット状の間隙方向に対して直交する方向から挿入または接触させることにより前記検査を行うことを最も主要な特徴としている。
【手続補正２】
【補正対象書類名】明細書
【補正対象項目名】００２５
【補正方法】変更
【補正の内容】
【００２５】
【図１】本発明の検査治具の一例を示した図である。
【図２】鋼矢板の継ぎ手の開度が寸法公差内に入っている場合の本発明の検査治具を用いた検査方法の説明図で、（ａ）は第１，第２のロールが継ぎ手の開口に接触する前の図、（ｂ）は第１のロールが継ぎ手の開口に接触した状態を示した図、（ｃ）は第２のロールが継ぎ手の開口から進入を開始した状態を示した図、（ｄ）は第２のロールが継ぎ手内への進入を完了した状態を示した図である。
【図３】本発明の検査治具を用いた検査方法の他の例の説明図で、（ａ）は継ぎ手の開度が寸法公差の上限よりも大きい場合、（ｂ）は継ぎ手の開度が寸法公差の下限よりも小さい場合の図である。
【図４】本発明の検査治具の他の例を示した図である。
【図５】（ａ）〜（ｈ）は、第１，２の部品として使用可能な他の形状の例を説明する図で、それぞれ紙面右側は正面から見た図、紙面左側は側面から見た図である。
【手続補正３】
【補正対象書類名】明細書
【補正対象項目名】００４６
【補正方法】変更
【補正の内容】
【００４６】
図５（ａ）（ｂ）は楕円体、（ｃ）はそろばんの珠状、（ｄ）は円錐、（ｅ）は円錐の先端部を切断した形状である。また、図５（ｆ）に示すような楕円柱、（ｇ）に示すような楕円錐の先端部を切断した形状、（ｈ）に示すような対向配置した同じ半径の半円を直線でつないだ横断面形状の柱状体でも良い。
【手続補正４】
【補正対象書類名】明細書
【補正対象項目名】００４７
【補正方法】変更
【補正の内容】
【００４７】
図５（ａ）〜（ｇ）のような形状の場合、スリットとは線接触するので、摩耗が激しい製品や使用環境の場合、最大断面長さが小さくなり、検査治具の部品の交換が必要になる。しかしながら、図５（ｈ）のように最大断面長さの平行部を持つ形状の場合、摩耗による最大断面長さの変化は、平行部全てが摩耗するまで変化しないため、長期間安定して使用でき、好ましい。
【手続補正５】
【補正対象書類名】特許請求の範囲
【補正対象項目名】全文
【補正方法】変更
【補正の内容】
【特許請求の範囲】
【請求項１】
スリット状の間隙が所定の公差内にあるかどうかを検査する方法であって、
楕円体、そろばんの珠状、円筒状、円錐形状、円錐の先端を切断した形状、多角錐形状、多角錐の先端を切断した形状、楕円柱状、楕円錐の先端を切断した形状、対向配置した同じ半径の半円を直線でつないだ横断面形状の柱状体の、前記スリット状の間隙の公差の上限値を最大断面長さとする第１の部品と、
楕円体、そろばんの珠状、円筒状、円錐形状、円錐の先端を切断した形状、多角錐形状、多角錐の先端を切断した形状、楕円柱状、楕円錐の先端を切断した形状、対向配置した同じ半径の半円を直線でつないだ横断面形状の柱状体の、前記スリット状の間隙の公差の下限値を最大断面長さとする第２の部品を、
当該各最大断面の方向が互いに平行で、かつ当該各最大断面と直交する方向に直線的に配置し、前記各最大断面の方向が前記スリット状の間隙方向に平行となる方向に位置させた状態で、前記スリット状の間隙方向に対して直交する方向から挿入または接触させることにより前記検査を行うことを特徴とする検査方法。
【請求項２】
前記２個の部品のうち、前記公差下限値の長さの最大断面長さを有する部品が前記スリット状の間隙に挿入可能で、かつ前記公差上限値の長さの最大断面長さを有する部品が前記スリット状の間隙に挿入不可能な状態のとき、前記スリット状の間隙が公差内にあると判断することを特徴とする請求項１に記載の検査方法。
【請求項３】
前記２個の部品のうち、前記公差上限値の長さの最大断面長さを有する部品が前記スリット状の間隙に挿入可能、または前記公差下限値の長さの最大断面長さを有する部品が前記スリット状の間隙に挿入不可能な状態のとき、前記スリット状の間隙が公差外にあると判断することを特徴とする請求項１に記載の検査方法。
【請求項４】
スリット状の間隙が所定の公差内にあるかどうかを検査する治具であって、
楕円体、そろばんの珠状、円筒状、円錐形状、円錐の先端を切断した形状、多角錐形状、多角錐の先端を切断した形状、楕円柱状、楕円錐の先端を切断した形状、対向配置した同じ半径の半円を直線でつないだ横断面形状の柱状体の、前記スリット状の間隙の公差の上限値を最大断面長さとする第１の部品と、
楕円体、そろばんの珠状、円筒状、円錐形状、円錐の先端を切断した形状、多角錐形状、多角錐の先端を切断した形状、楕円柱状、楕円錐の先端を切断した形状、対向配置した同じ半径の半円を直線でつないだ横断面形状の柱状体の、前記スリット状の間隙の公差の下限値を最大断面長さとする第２の部品を、
当該各最大断面の方向が互いに平行で、かつ当該各最大断面と直交する方向に直線的に配置し、前記スリット状の間隙方向に対して直交する方向から挿入または接触させて使用することを特徴とする検査治具。
【請求項５】
少なくとも前記第１の部品が、前記スリット状の間隙への挿入方向に移動自在に設けられ、かつ一方の移動限位置では前記第２の部品よりも、前記スリット状の間隙への挿入または接触方向の下流側に位置することを特徴とする請求項４に記載の検査治具。
【請求項６】
少なくとも前記第１の部品が、前記スリット状の間隙への挿入または接触方向の上流側に位置するように、ばねにより付勢されていることを特徴とする請求項５に記載の検査治具。
【請求項７】
前記第１および第２の部品は、取り替えが自在なように構成されていることを特徴とする請求項４〜６の何れかに記載の検査治具。
【請求項８】
前記第１の部品および第２の部品は、前記スリット状の間隙の公差の上限値または下限値の長さを有する最大断面がそれぞれの外径である円筒状のロールであることを特徴とする請求項４〜７の何れかに記載の検査治具。
【手続補正６】
【補正対象書類名】図面
【補正対象項目名】図５
【補正方法】変更
【補正の内容】
【図５】
2010185775.tif 000008